(57)【要約】      （修正有）【課題】什器や物品を固定した状態においても、それら什器や物品全体のデザイン性の低下を抑えることができるネジを提供する。【解決手段】本体ネジ部材１０と、前記本体ネジ部材に着脱可能に取り付けられる蓋部材２０とを備えており、前記本体ネジ部材の頭部１１は、取付用具に係合する係合部１１ｄ等と、前記蓋部材が係止される被係止部１０ａとを備え、前記蓋部材は、前記被係止部に係止する係止部２２等と、前記係止部が前記被係止部に係止した状態で、前記係合部を覆う蓋部２１とを備える。【選択図】図１
0003163307.tif 000002
【実用新案登録請求の範囲】
【請求項１】
本体ネジ部材と、前記本体ネジ部材に着脱可能に取り付けられる蓋部材とを備えており、
前記本体ネジ部材の頭部は、
取付用具に係合する係合部と、
前記蓋部材が係止される被係止部とを備え、
前記蓋部材は、
前記被係止部に係止する係止部と、
前記係止部が前記被係止部に係止した状態で、前記係合部を覆う蓋部と
を備えることを特徴とするネジ。
【請求項２】
前記係止部が、棒状に延びる係止棒であり、
前記被係止部が、前記係止棒が挿入される係止孔であることを特徴とする請求項１に記載のネジ。
【請求項３】
前記係止棒に、雄ネジ部が設けられ、
前記係止孔に、前記雄ネジ部と噛み合わされる雌ネジ部が設けられていることを特徴とする請求項２に記載のネジ。
【請求項４】
前記係止孔の内部に、前記係合部が設けられていることを特徴とする請求項２または請求項３に記載のネジ。
【請求項５】
前記係止孔の内部に、前記係合部が設けられ、
前記係合部が、前記雌ネジ部よりも前記頭部側に設けられていることを特徴とする請求項３に記載のネジ。
【請求項６】
前記係止孔の縁部に、前記頭部の中心に向かって傾斜する傾斜部が設けられていることを特徴とする請求項２から請求項５のいずれか一項に記載のネジ。
【請求項７】
前記係止孔の内部に、前記係合部が設けられるとともに、
前記係止孔の縁部に、前記頭部の中心に向かって傾斜する傾斜部が設けられており、
さらに、前記傾斜部の奥に前記係合部が設けられ、前記係合部の奥に前記雌ネジ部が設けられていることを特徴とする請求項３に記載のネジ。
【請求項８】
前記係止棒が、前記蓋部の中心から延ばされ、
前記係止孔が、前記頭部の中心から前記本体ネジ部材の軸部にわたって設けられていることを特徴とする請求項２から請求項７のいずれか一項に記載のネジ。
【請求項９】
前記係止孔が円形に形成されていることを特徴とする請求項２から請求項８のいずれか一項に記載のネジ。
【請求項１０】
前記係合部が、六角形状からなる六角孔であり、
前記係止棒の外径が、前記六角孔の開口寸法よりも小さくなっていることを特徴とする請求項２から請求項９のいずれか一項に記載のネジ。
【請求項１１】
前記蓋部は、
前記係止棒に直交して設けられた板状蓋部であり、
前記頭部は、
前記本体ネジ部材の軸部に直交して設けられた板状頭部を備えることを特徴とする請求項２から請求項１０のいずれか一項に記載のネジ。
【請求項１２】
前記板状蓋部および前記板状頭部が、円形状であり、
前記板状頭部の縁部には、前記板状蓋部が配されるフランジが設けられていることを特徴とする請求項１１に記載のネジ。
【請求項１３】
前記係合部が、前記フランジに設けられていることを特徴とする請求項１２に記載のネジ。
【請求項１４】
前記係合部が、前記係止孔の近傍に設けられていることを特徴とする請求項２または請求項３に記載のネジ。
【考案の詳細な説明】
【技術分野】
【０００１】
本考案は、什器や物品などの固定に利用されるネジに関する。
【背景技術】
【０００２】
今日では、例えば、博物館や美術館、店舗などのように、資料や美術品、商品などの展示物を展示するために、種々の什器が利用されている。また、展示物だけでなく、オフィスや家庭などにおいて、被収納物などを収納する場合にも、様々な什器が利用されている。なお、ここでの什器には、棚やロッカーなどの収納物や机、椅子などの家具だけでなく、展示物を展示するための器具（例えば、演示具やパーツなど）も含まれるものとする。
従来、このような什器を固定する場合や、物品自体を固定する場合、頭部と軸部とから構成されるネジが利用されるのが一般的である（例えば、特許文献１参照。）。そして、頭部には、例えば六角レンチなどの取付用具に係合する六角孔が形成されている。
このような構成のもと、六角孔に六角レンチの先端を係合させて、軸部の軸線回りに頭部を回転させることにより、ネジを締め付ける。これにより、什器や物品などが固定される。
【０００３】
しかしながら、上記のようなネジでは、六角レンチによって締め付けられ固定されたあとに、六角孔がそのまま外方に向けられた状態で残されてしまい、外観を損ねてしまうという問題がある。
【先行技術文献】
【特許文献】
【０００４】
【特許文献１】特開２００８−２８９１３８号公報
【考案の概要】
【考案が解決しようとする課題】
【０００５】
本考案は、このような事情に鑑みてなされたものであって、什器や物品を固定した状態においても、それら什器や物品全体のデザイン性の低下を抑えることができるネジを提供することを目的とする。
【課題を解決するための手段】
【０００６】
上記課題を解決するために、本考案は以下の手段を提供する。
本考案は、本体ネジ部材と、前記本体ネジ部材に着脱可能に取り付けられる蓋部材とを備えており、前記本体ネジ部材の頭部が、取付用具に係合する係合部と、前記蓋部材が係止される被係止部とを備え、前記蓋部材が、前記被係止部に係止する係止部と、前記係止部が前記被係止部に係止した状態で、前記係合部を覆う蓋部とを備えることを特徴とする。
【０００７】
この考案によれば、什器や物品を固定した状態においても、それら什器や物品全体のデザイン性の低下を抑えることができる。
【０００８】
また、本考案は、前記係止部が、棒状に延びる係止棒であり、前記被係止部が、前記係止棒が挿入される係止孔であることを特徴とする。
【０００９】
この考案によれば、本体ネジ部材に蓋部材を着脱可能に容易に取り付けることができる。
【００１０】
また、本考案は、前記係止棒に、雄ネジ部が設けられ、前記係止孔に、前記雄ネジ部と噛み合わされる雌ネジ部が設けられていることを特徴とする。
【００１１】
この考案によれば、本体ネジ部材と蓋部材とを容易に取り付け、取り外すことができる。
【００１２】
また、本考案は、前記係止孔の内部に、前記係合部が設けられていることを特徴とする。
【００１３】
この考案によれば、スペースの利用効率を向上させることができ、小型化を図ることができる。
【００１４】
また、本考案は、前記係止孔の内部に、前記係合部が設けられ、前記係合部が、前記雌ネジ部よりも前記頭部側に設けられていることを特徴とする。
【００１５】
この考案によれば、取付用具を係止孔の奥深くまで挿入することなく、取付用具と係合部とを係合し易くさせることができる。
【００１６】
また、本考案は、前記係止孔の縁部に、前記頭部の中心に向かって傾斜する傾斜部が設けられていることを特徴とする。
【００１７】
この考案によれば、取付用具や係止棒を係止孔内に挿入し易くさせることができる。
【００１８】
また、本考案は、前記係止孔の内部に、前記係合部が設けられるとともに、前記係止孔の縁部に、前記頭部の中心に向かって傾斜する傾斜部が設けられており、さらに、前記傾斜部の奥に前記係合部が設けられ、前記係合部の奥に前記雌ネジ部が設けられていることを特徴とする。
【００１９】
この考案によれば、取付用具と係合部とを係合し易くさせ、取付用具や係止棒を係止孔内に挿入し易くさせるだけでなく、限られたスペース内で雌ネジ部を深い位置に形成することにより、蓋部材を確実に本体ネジ部材に取り付けることができる。
【００２０】
また、本考案は、前記係止棒が、前記蓋部の中心から延ばされ、前記係止孔が、前記頭部の中心から前記本体ネジ部材の軸部にわたって設けられていることを特徴とする。
【００２１】
この考案によれば、係止孔をより深く、係止棒をより長くすることができることから、蓋部材を本体ネジ部材に確実に取り付けることができる。
【００２２】
また、本考案は、前記係止孔が円形に形成されていることを特徴とする。
【００２３】
この考案によれば、取付用具や係止棒を係止孔内に挿入し易くさせることができる。
【００２４】
また、本考案は、前記係合部が、六角形状からなる六角孔であり、前記係止棒の外径が、前記六角孔の開口寸法よりも小さくなっていることを特徴とする。
【００２５】
この考案によれば、係止棒を六角孔内で回転させることができ、蓋部材を本体ネジ部材に確実に取り付けることができる。
【００２６】
また、本考案は、前記蓋部が、前記係止棒に直交して設けられた板状蓋部であり、前記頭部が、前記本体ネジ部材の軸部に直交して設けられた板状頭部を備えることを特徴とする。
【００２７】
この考案によれば、本体ネジ部材によって什器や物品を固定した状態で、板状蓋部によって係止孔を確実に覆うことができる。
【００２８】
また、本考案は、前記板状蓋部および前記板状頭部が、円形状であり、前記板状頭部の縁部には、前記板状蓋部が配されるフランジが設けられていることを特徴とする。
【００２９】
この考案によれば、蓋部材を本体ネジ部材に取り付けたときに、蓋部材を保護することができるだけでなく、デザイン性を向上させることができる。
【００３０】
また、本考案は、前記係合部が、前記フランジに設けられていることを特徴とする。
【００３１】
この考案によれば、係合部の強度を上げることができ、本体ネジ部材をより強く締めることができる。
【００３２】
また、本考案は、前記係合部が、前記係止孔の近傍に設けられていることを特徴とする。
【００３３】
この考案によれば、係止孔内に配するよりも、係合部を見易くさせることができる。
【考案の効果】
【００３４】
本考案によれば、什器や物品を固定した状態においても、それら什器や物品全体のデザイン性の低下を抑えることができる。
【図面の簡単な説明】
【００３５】
【図１】本考案の実施形態におけるネジを示す斜視図である。
【図２】図１のネジを示す断面図である。
【図３】図２の蓋部材を本体ネジ部材に取り付けた様子を示す断面図である。
【図４】図１の本体ネジ部材を示す平面図である。
【図５】本考案の実施形態におけるネジの第１の変形例を示す平面図である。
【図６】本考案の実施形態におけるネジの第２の変形例を示す平面図である。
【図７】本考案の実施形態におけるネジの第３の変形例を示す平面図である。
【図８】本考案の実施形態におけるネジの第４の変形例を示す平面図である。
【考案を実施するための最良の形態】
【００３６】
以下、本考案の実施形態におけるネジについて、図面を参照して説明する。
図１から図４は、本考案の実施形態としてのネジ１を示したものである。
ネジ１は、本体としての本体ネジ部材１０と、この本体ネジ部材１０に着脱可能に取り付けられる蓋部材２０とを備えている。
蓋部材２０は、円形板状の板状蓋部（蓋部）２１と、この板状蓋部２１の中心から延びる係止軸（係止部、係止棒）２２とを備えている。
係止軸２２は、板状蓋部２１の裏面において、板状蓋部２１の延在面と直交して設けられている。また、係止軸２２は、軸本体部２２１と、この軸本体部２２１よりも径の太い太径部２２２とを備えている。軸本体部２２１の外表面には、雄ネジ部２２１ａが形成されている。
【００３７】
本体ネジ部材１０は、頭部１１と、この頭部１１の中心から延びる軸部１２とを備えている。
軸部１２は、後述する板状頭部１１ｂの裏面において、板状頭部１１ｂの延在面と直交して設けられている。また、軸部１２の外表面には、雄ネジ部１２ａが形成されている。
頭部１１は、円形板状に形成された板状頭部１１ｂを備えている。板状頭部１１ｂの縁部には、軸部１２が延びる方向と反対方向に立ち上げられたフランジ１１ａが形成されている。フランジ１１ａは、板状頭部１１ｂの全周にわたって形成されている。なお、図２に示すように、板状頭部１１ｂの内径寸法ｄ２は、板状蓋部２１の外形寸法ｄ１と同一になっている。また、板状頭部１１ｂの厚さ寸法ｈ１は、フランジ１１ａの高さ寸法ｈ２と同一になっている。すなわち、板状蓋部２１は、フランジ１１ａ内に嵌められて、フランジ１１ａと面一になるように設定されている。
【００３８】
さらに、板状頭部１１ｂの中心には、係止軸２２が挿入される係止孔（被係止部）１０ａが形成されている。
係止孔１０ａは、板状頭部１１ｂの表面から、軸部１２にわたって形成されている。係止孔１０ａの縁部は、円形に形成されている。係止孔１０ａの開口の径寸法ｄ４（図４に示す。）は、太径部２２２の外径寸法ｄ３（図２に示す。）よりも、大きくなっている。係止孔１０ａの円形の縁部には、縁部から奥に進むにしたがって径方向内方に傾斜する傾斜部１１ｃが形成されている。傾斜部１１ｃの奥には、平面視して六角形状の六角孔（係合部）１１ｄが形成されている。六角孔１１ｄは、不図示の六角レンチ（取付用具）が係合する係合部として機能するものである。なお、図４に示す符号ｄ５は、六角孔１１ｄの開口寸法のうち、対向する２辺の間の開口寸法を示すものであり、軸線Ａを通る最小の開口寸法を示すものである。この開口寸法ｄ５は、太径部２２２の外形寸法ｄ３（図２に示す。）よりも大きくなっている。すなわち、太径部２２２は、六角孔１１ｄ内において回転可能に配されるようになっている。また、径寸法ｄ４は、開口寸法ｄ５よりも大きくなっている。
係止孔１０ａのうち、六角孔１１ｄの奥（軸部１２に及ぶ部位）には、雌ネジ部１２ｂが形成されている。この雌ネジ部１２ｂは、雄ネジ部２２１ａと噛み合わされるようになっている。
【００３９】
次に、このように構成された本実施形態におけるネジ１の使い方について説明する。
例えば、博物館の展示物を固定する場合、種々の什器を使って展示物を固定する必要がある。このとき、ネジ１を以下のようにして使用する。
まず、軸部１２の先端を什器の取付孔に刺した状態で、六角レンチを六角孔１１ｄに係合させる。このとき、係止孔１０ａの縁部が円形に形成されるとともに、傾斜部１１ｃが形成されていることから、六角レンチの先端が係止孔１０ａにスムーズに挿入され、六角孔１１ｄに容易に係合する。この状態で、六角レンチを利用して、本体ネジ部材１０を軸線Ａ回りに回転させる。すると、雄ネジ部１２ａが取付孔の雌ネジに噛み合わされ、本体ネジ部材１０が締め付けられる。これにより、固定用の什器が固定される。それから、六角レンチを六角孔１１ｄから取り外す。
【００４０】
この状態では、六角孔１１ｄが外方に露出している。そこで、蓋部材２０によって、六角孔１１ｄを覆って蓋をする。すなわち、係止軸２２を係止孔１０ａに刺して、蓋部材２０を軸線Ａ回りに回転させる。このとき、親指の腹を板状頭部１１ｂの表面にあてがった状態で親指を回転させると、蓋部材２０がスムーズに回転する。これにより、係止軸２２が軸線Ａ回りに回転し、雄ネジ部２２１ａが雌ネジ部１２ｂと噛み合わされ、蓋部材２０が締め付けられる。そして、太径部２２２が、傾斜部１１ｃを介して、係止孔１０ａ内に配されていく。このとき、係止孔１０ａの径寸法ｄ４が太径部２２２の外形寸法ｄ３よりも大きくなっており、傾斜部１１ｃが形成されていることから、太径部２２２がスムーズに六角孔１１ｄ内に配される。また、六角孔１１ｄの開口寸法ｄ５が、太径部２２２の外形寸法ｄ３よりも大きくなっていることから、太径部２２２は、六角孔１１ｄ内において軸線Ａ回りに回転することができ、板状蓋部２１の裏面と板状頭部１１ｂの表面とが当接するまで、雄ネジ部２２１ａと雌ネジ部１２ｂとを噛み合わされていく。そして、板状蓋部２１の表面とフランジ１１ａとが面一に配される。
これにより、外方に露出されていた六角孔１１ｄが蓋部材２０によって覆われる。
【００４１】
以上より、本実施形態におけるネジ１によれば、本体ネジ部材１０によって什器を固定した状態で、蓋部材２０によって六角孔１１ｄを覆うことができることから、什器を固定した状態においてもその什器全体のデザイン性の低下を抑えることができる。
また、係止軸２２と係止孔１０ａとが設けられていることから、蓋部材２０を本体ネジ部材１０に着脱可能に取り付けることができる。
また、係止軸２２に雄ネジ部２２１ａが形成されるとともに、係止孔１０ａに雌ネジ部１２ｂが形成されていることから、蓋部材２０を本体ネジ部材１０に容易に取り外すことができる。
【００４２】
また、六角孔１１ｄが係止孔１０ａ内に設けられていることから、スペースの利用効率を向上させることができ、小型化を図ることができる。
また、六角孔１１ｄが、雌ネジ部１２ｂよりも頭部１１側に設けられていることから、六角レンチを係止孔１０ａの奥深くまで挿入することなく、六角レンチと六角孔１１ｄとを係合し易くさせることができる。
また、傾斜部１１ｃが形成されていることから、六角レンチや係止軸２２を係止孔１０ａ内に挿入し易くさせることができる。
【００４３】
また、係止孔１０ａ内に、深さ方向に、傾斜部１１ｃ、六角孔１１ｄおよび雌ネジ部１２ｂの順に連続して配置されていることから、六角レンチと六角孔１１ｄとを係合し易くさせ、六角レンチや係止軸２２を係止孔１０ａ内に挿入し易くさせるだけでなく、限られたスペース内で雌ネジ部１２ｂを軸部１２に深く形成することにより、蓋部材２０を確実に本体ネジ部材１０に取り付けることができる。
また、係止軸２２が板状蓋部２１の中心から延ばされ、係止孔１０ａが板状頭部１１ｂから軸部１２にわたって設けられていることから、係止孔１０ａをより深く、係止軸２２をより長くすることができる。そのため、蓋部材２０を本体ネジ部材１０に確実に取り付けることができる。
【００４４】
また、係止孔１０ａの開口が円形に形成されていることから、六角レンチや係止軸２２を係止孔１０ａ内に挿入し易くさせることができる。
また、太径部２２２の外径寸法ｄ３が六角孔１１ｄの開口寸法ｄ５よりも小さくなっていることから、太径部２２２を六角孔１１ｄ内で軸線Ａ回りに回転させることができ、蓋部材２０を本体ネジ部材１０に確実に取り付けることができる。
また、板状蓋部２１と係止軸２２とが設けられるとともに、板状頭部１１ｂが設けられていることから、本体ネジ部材１０によって什器を固定した状態で、板状蓋部２１によって六角孔１１ｄを確実に覆うことができる。
また、板状蓋部２１と板状頭部１１ｂが円形板状になっており、板状蓋部２１がフランジ１１ａ内に配されることから、蓋部材２０を本体ネジ部材１０に取り付けたときのデザイン性を向上させることができるだけでなく、蓋部材２０を衝撃などから保護することができる。
【００４５】
なお、本考案の技術範囲は上記の実施形態に限定されるものではなく、本考案の趣旨を逸脱しない範囲において、種々の変更を加えることが可能である。
例えば、係止軸２２および係止孔１０ａが設けられるとしたが、これに限ることはなく、板状蓋部２１が頭部１１に係止するものであれば、その構成は適宜変更可能である。具体的には、テープ、接着剤、磁石、圧力などを利用して係止してもよい。
また、係止軸２２に雄ネジ部２２１ａが形成され、係止孔１０ａに雌ネジ部１２ｂが形成されるとしたが、これら雄ネジ部２２１ａや雌ネジ部１２ｂは、設けなくてもよい。すなわち、係止軸２２を係止孔１０ａに着脱可能に挿入するだけでもよい。このとき、係止軸２２および係止孔１０ａが複数設けられていてもよい。
【００４６】
また、六角孔１１ｄが雌ネジ部１２ｂよりも頭部１１側に設けられるとしたが、これに限ることはなく、雌ネジ部１２ｂが六角孔１１ｄよりも頭部１１側に設けられるようにしてもよい。
また、傾斜部１１ｃが設けられるとしたが、この傾斜部１１ｃは設けなくてもよい。
また、係止軸２２が板状蓋部２１の中心から延ばされるとしたが、これに限ることはなく、係止軸２２が板状蓋部２１の偏心した位置から延ばされるようにしてもよい。
また、係止孔１０ａが板状蓋部２１の表面の中心から軸部１２にわたって設けられるとしたが、これに限ることはなく、板状蓋部２１のみに設けてもよい。ただし、限られたスペース内で係止孔１０ａをより深く形成するためには、軸部１２にわたって設けた方が全体をコンパクトにすることができる点で好ましい。
【００４７】
また、係止孔１０ａの開口が円形とされているが、これに限ることはなく、その形状は適宜変更可能である。例えば、六角孔１１ｄに合わせた六角形にしてもよいし、三角形以上の多角形やその他の形状でもよい。
また、六角孔１１ｄの開口寸法ｄ５が、太径部２２２の外径寸法ｄ３よりも大きくなっているとしたが、これに限ることはなく、そのサイズは適宜変更可能である。ただし、開口寸法ｄ５が外径寸法ｄ３よりも大きくなっていた方が、係止軸２２を係止孔１０ａ内にて回転させることができる点で好ましい。
【００４８】
また、板状蓋部２１や板状頭部１１ｂが設けられるとしたが、これに限ることはなく、その形状は適宜変更可能である。例えば、板状蓋部２１や板状頭部１１ｂを板状でなく肉厚の形状にしてもよい。
また、板状蓋部２１や板状頭部１１ｂが円形状であるとしたが、これに限ることはなく、その形状は適宜変更可能である。例えば、多角形状やその他の形状でもよい。
また、フランジ１１ａが設けられるとしたが、このフランジ１１ａは設けなくてもよい。また、フランジ１１ａを板状頭部１１ｂの全周でなく、部分的に設けてもよい。
【００４９】
また、六角孔１１ｄが設けられるとしたが、これに限ることはなく、取付用具に合わせて、その形状は適宜変更可能である。例えば、図５に示すように、プラスドライバーに対応させて、十字状（クロス状）のクロス孔（係合部）１１ｄ１としてもよい。また、図６に示すように、マイナスドライバーに対応させて、マイナス状のマイナス孔（係合部）１１ｄ２を形成してもよい。
また、六角孔１１ｄの形状を変更させるだけでなく、六角孔１１ｄを係止孔１０ａの内部に配さなくてもよい。例えば、図７に示すように、二股の取付用具のそれぞれの先端が差し込まれる、一対の凹部（係合部）１１ｄ３を形成してもよい。これら凹部１１ｄ３は、係止孔１０ａの近傍に配置されている。すなわち、凹部１１ｄ３は、板状頭部１１ｂの表面のうち、板状頭部１１ｂの径方向において、係止孔１０ａを挟んで対向して配置されている。これにより、係止孔１０ａ内に配するよりも、凹部１１ｄ３を見易くさせることができる。
【００５０】
また、図８に示すように、フランジ１１ａに切り欠き部（係合部）１１ｄ４を設けてもよい。この切り欠き部１１ｄ４は、板状頭部１１ｂの径方向において、係止孔１０ａを挟んで対向して配置されている。そして、切り欠き部１１ｄ４のそれぞれにわたってコインなどの取付用具を嵌め込んで本体ネジ部材１０を回転させる。これにより、切り欠き部１１ｄ４の強度を上げることができ、本体ネジ部材１０をより強く締めることができる。なお、板状頭部１１ｂの外径寸法は、板状蓋部２１の外径寸法よりも小さくする。そのため、蓋部材２０を本体ネジ部材１０に取り付けたときに、板状蓋部２１によって切り欠き部１１ｄ４が覆われる。
【００５１】
また、これら実施形態および変形例を自由に組み合わせることができることは言うまでもない。
また、本実施形態においては、博物館の展示物を展示するための什器として説明したが、これに限ることはなく、利用対象としては適宜変更可能である。例えば、美術品や商品を展示する什器や、被収納物などを収納する収納物や机、椅子などの家具などの什器にも適用可能である。さらに、什器だけでなく、例えば工業製品などの物品そのものに使用するネジとしても適用することができる。
【符号の説明】
【００５２】
１  ネジ
１０  本体ネジ部材
１０ａ  係止孔（被係止部）
１１  頭部
１１ａ  フランジ
１１ｂ  板状頭部
１１ｃ  傾斜部
１１ｄ  六角孔（係合部）
１１ｄ１  クロス孔（係合部）
１１ｄ２  マイナス孔（係合部）
１１ｄ３  凹部（係合部）
１１ｄ４  切り欠き部（係合部）
１２ｂ  雌ネジ部
２０  蓋部材
２１  板状蓋部（蓋部）
２２  係止軸（係止部、係止棒）
２２１ａ  雄ネジ部
【図１】
0003163307.tif 000003
【図２】
0003163307.tif 000004
【図３】
0003163307.tif 000005
【図４】
0003163307.tif 000006
【図５】
0003163307.tif 000007
【図６】
0003163307.tif 000008
【図７】
0003163307.tif 000009
【図８】
0003163307.tif 000010